(57)【要約】【課題】  原稿反転部に設けられる原稿パス空間を確保するとともに、原稿反転部自体の重量や厚みを増すことなく、ブック物等の厚みを有する固定原稿を押えることのできる原稿搬送装置を提供することである。【解決手段】  画像読取部と排紙トレイとの間の経路の途中に設けられた原稿反転部６０を備える原稿搬送装置において、前記原稿反転部６０は、上下一対のガイド板６１，６２と、この一対のガイド板６１，６２の間に形成される原稿パス空間６８と、前記一対のガイド板６１，６２の対向する面からそれぞれ原稿パス空間６８に向けて突出する上下の搬送リブ６３，６４及び上下の突起部６５，６６とを備え、前記上下の搬送リブ６３，６４は突出位置が互いにずれており、上下の突起部６５，６６は互いに対面する位置に設けられる共に、それぞれの頂部６５ａ，６６ａが前記上下の搬送リブ６３，６４の各先端より内側に位置させた。【選択図】      図３
2011176759.tif 000002
【特許請求の範囲】
【請求項１】
原稿を給紙する給紙トレイと、給紙トレイから繰り出された原稿を読み取る画像読取部と、画像読取部で読み取られた原稿を排紙する排紙トレイと、前記画像読取部と排紙トレイとの間の経路の途中に設けられた原稿反転部とを備える原稿搬送装置において、
前記原稿反転部は、上下一対のガイド板と、この一対のガイド板の間に形成される原稿パス空間と、前記一対のガイド板の対向する面からそれぞれ原稿パス空間に向けて突出する上下の搬送リブ及び上下の突起部とを備え、
前記上下の搬送リブは突出位置が互いにずれており、上下の突起部は互いに対面する位置に設けられる共に、それぞれの頂部が前記上下の搬送リブの各先端より内側に位置することを特徴とする原稿搬送装置。
【請求項２】
前記上下の突起部は、上下のガイド板のそれぞれ略中央部に設けられている請求項１に記載の原稿搬送装置。
【請求項３】
前記上下の突起部の頂部は、それぞれが平面状に形成されている請求項１に記載の原稿搬送装置。
【請求項４】
前記上下の突起部は、一方が硬質材で形成され、他方が軟質材で形成されている請求項１に記載の原稿搬送装置。
【請求項５】
前記硬質材で形成された突起部はガイド板の成形時に一体形成される請求項４に記載の原稿搬送装置。
【請求項６】
前記下ガイド板は、柔軟性のある樹脂材によって形成されている請求項１に記載の原稿搬送装置。
【請求項７】
前記原稿パス空間は、上下のガイド板の間に設けられたスペーサ片によって確保されると共に、下ガイド板の裏面には前記スペーサ片と対応する位置に突起片が設けられる請求項１に記載の原稿搬送装置。
【請求項８】
前記下ガイド板は、少なくとも前記突起片の下にスポンジ部材を介して原稿押え板が配設される請求項７に記載の原稿搬送装置。
【請求項９】
前記突起片は、前記下ガイド板の裏面の少なくとも四隅に形成される請求項７に記載の原稿搬送装置。
【発明の詳細な説明】
【技術分野】
【０００１】
本発明は、複写機やイメージスキャナなどの画像形成装置のプラテンガラス上に給紙トレイから原稿を供給し、プラテンガラス上で原稿の画像を読み取った後にその原稿を排紙トレイに排出する原稿搬送装置に関するものである。
【背景技術】
【０００２】
従来、例えば複写機本体上に設置された原稿搬送装置は、給紙トレイ上に載置してある原稿を一枚づつ自動的に送り出して複写機本体上の読取面（プラテン）へと搬送し、複写機本体内の光学系に読み取らせた後、原稿を排紙トレイに搬送する構成が一般に採用されている。この種の原稿搬送装置では、上述のように原稿を移動させながら読み取るシートスルーモードの他に、プラテン上に原稿を載せ置いて読み取るブックモードとを有するものがあり、特に装置自体を小型化するために原稿を反転させて両面を読み取る際のスイッチバック路と、両面を読み取った後再び原稿を反転させ、ページ揃えをしてから排紙トレイに排出させるためのスイッチバック路を有する原稿反転部を更に排紙トレイとプラテンカバーの間に設けたものが提案されている（特許文献１，２参照）。
【０００３】
前記原稿反転部は、最終的に排紙される原稿を上面に積載する排紙トレイを上面に有する上ガイド板と、前記プラテンカバー（下ガイド板）との間に原稿をスイッチバックさせるための原稿パス空間を確保して構成されている。また、前記原稿パス空間内には、原稿をスムーズに通過させるために上ガイド板又は下ガイド板の少なくともいずれか一方から突出する搬送リブが設けられる場合がある。
【先行技術文献】
【特許文献】
【０００４】
【特許文献１】特開平８−１３３５５１号公報
【特許文献２】特開平１１−５６５９号公報
【発明の概要】
【発明が解決しようとする課題】
【０００５】
上記構成の原稿搬送装置にあっては、プラテン上に載置した原稿を読み取る際に、原稿搬送装置本体をプラテン上に回動させ、原稿反転部を構成する下ガイド板の裏面側で前記原稿を押える。このとき、前記原稿の厚みや押える力によって、下ガイド板の裏面側に原稿からの押圧力が掛かる。特に、読み取る原稿がブック物でページを開いた状態でプラテン上に載置すると、背表紙部分が盛り上がり、前記下ガイド板の中央部分の変形量が大きくなる。前記原稿反転部は、前述したように、上ガイド板と下ガイド板との間に原稿パス空間を設けているが、この原稿パス空間は原稿１枚分を通過させるための僅かなスペースしかないので、前記下ガイド板における変形が頻繁に生じると、前記原稿パス空間が確保できなくなる。このような押圧力による撓み変形を抑えるために、従来は前記下ガイド板を硬質部材で形成したり、一定の厚みを持たせたりして形成していた。
【０００６】
しかしながら、前記下ガイド板を硬質部材で形成したり、厚みを増したりすると、原稿搬送装置全体の重量が大きくなり、回動操作が重くなるといった問題がある。また、原稿搬送装置全体が厚くなり、小型化が制限されることとなる。
【０００７】
そこで本発明は、上記の課題を解決するために、原稿反転部に設けられる原稿パス空間を確保するとともに、原稿反転部自体の重量や厚みを増すことなく、ブック物等の厚みを有する固定原稿を押えることのできる原稿搬送装置を提供することを目的とする。
【課題を解決するための手段】
【０００８】
上記課題を解決するために、本発明の原稿搬送装置は、原稿を給紙する給紙トレイと、給紙トレイから繰り出された原稿を読み取る画像読取部と、画像読取部で読み取られた原稿を排紙する排紙トレイと、前記画像読取部と排紙トレイとの間の経路の途中に設けられた原稿反転部とを備える原稿搬送装置において、前記原稿反転部は、上下一対のガイド板と、この一対のガイド板の間に形成される原稿パス空間と、前記一対のガイド板の対向する面からそれぞれ原稿パス空間に向けて突出する上下の搬送リブ及び上下の突起部とを備え、前記上下の搬送リブは突出位置が互いにずれており、上下の突起部は互いに対面する位置に設けられる共に、それぞれの頂部が前記上下の搬送リブの各先端より内側に位置することを特徴とする。
【発明の効果】
【０００９】
本発明の原稿搬送装置によれば、前記原稿反転部を構成する上下のガイド板に撓み変形が生じた場合であっても、原稿パス空間内に突出する上下の突起部同志が当接することで、原稿が通過できるだけの原稿パス空間を保持することができる。また、前記原稿パス空間内において、原稿の搬送をガイドするために設けられている上下の搬送リブの突出位置が互いにずれているため、前記下ガイド板が撓み変形した場合に互いに衝突することがない。さらに、前記上下の突起部の頂部が前記上下の搬送リブの各先端より内側に位置しているため、原稿パス空間内を通過する原稿が引っ掛かるようなことがなくスムーズに原稿を搬送させることができる。
【図面の簡単な説明】
【００１０】
【図１】本発明に係る原稿搬送装置の全体構成を示す断面図である。
【図２】上記原稿搬送装置を構成する搬送読取ユニットの内部構造を示す斜視図である。
【図３】原稿反転部の内部を示す断面図である。
【図４】上記原稿反転部の端部の構造を示す要部断面図である。
【発明を実施するための形態】
【００１１】
以下、図面を参照しつつ本発明に係る原稿搬送装置の実施形態を詳細に説明する。図１に示すように本発明の原稿搬送装置１は、画像読取部４を有する本体ユニット２と、この本体ユニット２の上方に開閉可能に取り付けられる搬送読取ユニット３とを備えて構成されている。
【００１２】
画像読取部４は、光学部５を固定した状態で第１のプラテン６の上面を通過する原稿を読み取る。また、本体ユニット２の上面には、原稿を載置するための平面スペースを有する第２のプラテン７が設けられ、このプラテン７上にセットされた原稿に対しては前記画像読取部４の光学部５が移動することによって読み取ることができる。
【００１３】
前記画像読取部４は、ランプなどの光源１０、複数のミラー１１、レンズ１６、ＣＣＤなどの光電変換素子１７等を備える。搬送あるいは載置された原稿には、第１のプラテン６又は第２のプラテン７を介して光源１０から発せられる光が照射される。そして、原稿面に照射されて反射した光を複数のミラー１１によって何度か反射させた後、レンズ１６を介して光電変換素子１７で光電変換することで原稿の画像が読み取られる。
【００１４】
次に、搬送読取ユニット３の構成について説明する。この搬送読取ユニット３は、図１に示したように、複数枚の原稿を載置可能な給紙トレイ２０と、載置された複数枚の原稿を繰り出す支持トレイ２１と、読取処理の終了した原稿を収納する排紙トレイ２２と、前記給紙トレイ２０から第１のプラテン６を経由して排紙トレイ２２に向けて原稿を搬送させるための原稿搬送路とを有して構成されている。
【００１５】
前記支持トレイ２１の下流側には、この支持トレイ２１上に載置されている原稿を繰り出すために昇降する繰出ローラ２７と、繰り出された原稿を給送する給紙ローラ２８と、この給紙ローラ２８に圧接して原稿を１枚づつ分離する分離パッド２９と、１枚づつ分離されて給紙される原稿の先端を突き当てて整合した後に第１のプラテン６に向けて送り出すレジストローラ対３０とを備える。
【００１６】
原稿搬送路には、第１のプラテン６の上流側に配置される第１リードローラ対３２と、下流側に配置される第２リードローラ対３３とが設けられている。
【００１７】
また、前記排紙トレイ２２の前段には、一の面（表面）の画像が読み取られた原稿を一時的に退避させた後、再搬送させるための第１スイッチバック部４１と、表裏両面の画像が読み取られた原稿を一時的に退避させた後、排紙トレイ２２に収容させるための第２スイッチバック部４２とを備えている。第１スイッチバック部４１は、第１スイッチバックパス４５と、この第１スイッチバックパス４５の上流側からレジストローラ対３０に向けて合流する再搬送パス４７とを有するとともに、前記第１スイッチバックパス４５の端部に設けられる排紙ローラ対４３、前記再搬送パス４７上に設けられる待機ローラ対４８を有して構成されている。前記排紙ローラ対４３及び待機ローラ対４８は、一方が正転、反転駆動が可能な駆動ローラで、他方が回転フリーの従動ローラで構成され、互いに圧接及び離間可能に配置される。
【００１８】
前記第２スイッチバック部４２は、第２リードローラ対３３から原稿反転部６０に向けて延びる第２スイッチバックパス４６と、この第２スイッチバックパス４６の上流側から折り返して前記第１スイッチバックパス４５に合流する反転排紙パス４９とを有するとともに、前記第２スイッチバックパス４６と反転排紙パス４９とが分岐する部分の近傍に反転ローラ対４４が設けられる。この反転ローラ対４４は、一方が正転、反転駆動が可能な駆動ローラで、他方が回転フリーの従動ローラで構成され、互いに圧接及び離間可能に配置される。
【００１９】
また、前記第２リードローラ対３３の下流側には、原稿の読み取り過程に応じて、前記第１スイッチバックパス４５と第２スイッチバックパス４６のいずれかに向けて原稿の流れを交互に切り替えるための切替手段が設けられる。この切替手段は、３方向のパス面を有し、この３方向のパス面が回動可能な切替フラッパー３４によって構成されている。この切替フラッパー３４は、それぞれのパス面が原稿の厚み幅の範囲内で回動可能となっている。
【００２０】
次に、図１及び図２に基づいて、前記原稿反転部６０の構成について説明する。この原稿反転部６０は、前記排紙トレイ２２の下方に設けられる上ガイド板６１と、下ガイド板６２と、前記上ガイド板６１と下ガイド板６２との間に形成される原稿パス空間６８とを有して形成され、前記原稿パス空間６８で原稿がジャムした際に、原稿が取り出しやすいように、下ガイド板６２が開閉可能となっている。前記上ガイド板６１の外周端部には、下方に突出するスペーサ片６７が少なくとも２か所設けられ、このスペーサ片６７が下ガイド板６２の上面に当接することによって、前記原稿パス空間６８が確保される。また、前記上ガイド板６１は、排紙された原稿を積載する傾斜した排紙面６９が上面側に設けられ、下面からは前記原稿パス空間６８を通過する原稿の上面に接して搬送をガイドする平行に延びる複数の上搬送リブ６３と、中央部に前記上搬送リブ６３の突出高さより低い矩形状の上突起部６５が設けられる。一方、下ガイド板６２は、前記原稿パス空間６８を通過する原稿の下面に接して搬送をガイドする平行に延びる複数の下搬送リブ６４と、中央部に前記下搬送リブ６４の突出高さより低い矩形状の下突起部６６が設けられる。
【００２１】
図３（ａ）は、給紙トレイ２０から自動給紙される原稿を読取搬送させる状態における前記原稿反転部６０の断面を示したものである。原稿パス空間６８内に突出する上搬送リブ６３と下搬送リブ６４は、上下方向で対向しないように、互いにずらせて配置されており、それぞれの先端部の間が原稿１枚分を通過させるための搬送路７０となっている。なお、前記上搬送リブ６３及び下搬送リブ６４は、樹脂材によって上ガイド板６１及び下ガイド板６２と一体に成形される。
【００２２】
図３（ｂ）は、第２のプラテン７上にブック物のような厚い原稿Ｐを載置して読み取る際の原稿反転部６０の断面を示したものである。このように、厚みのある原稿Ｐの上に原稿反転部６０を載置して押圧した場合は、前記原稿Ｐの厚みによって下ガイド板６２が撓み変形する場合がある。このような場合に、前記上突起部６５と下突起部６６のそれぞれの頂部６５ａ，６６ａが当接することによって、下ガイド板６２の中央部分における撓み変形がより大きくならないように、変形量を一定範囲に抑えることができる。これによって、図３（ａ）の状態に戻して原稿を読取搬送させる際に、前記原稿パス空間６８に突入させる原稿の搬送スペースを最低限確保することができる。
【００２３】
前記上突起部６５及び下突起部６６は、図３（ｂ）に示したように、上下のガイド板６１，６２の略中央部に対向するように設けたことによって、下ガイド板６２の変形量を抑えることができると共に、それぞれの頂部６５ａ，６６ａ同志が平坦面となっているので、接触による衝撃を分散させることができる。また、前記上下の搬送リブ６３，６４の先端から突出しないように、双方の頂部６５ａ，６６ａが搬送リブ６３，６４の先端より内側に位置するため、自動読み取り搬送を行う際に、原稿パス空間６８を通過する原稿の搬送を妨げることがない。前記上下の突起部６５，６６は、下ガイド板６２の変形による衝突を吸収させるため、適度な柔軟性を有し、且つ形状が変化しない程度の硬度を有した樹脂材で形成されるのが好ましい。ただし、上下双方の突起部が同一の硬度でなくとも、一方が硬質で他方が柔軟性を有していればよい。また、前記頂部６５ａ，６６ａのいずれか一方、あるいは双方に衝撃を吸収する薄い保護シートを被覆して形成することもできる。なお、前記上下の突起部６５，６６は、上下のガイド板６１，６２のサイズや上下の搬送リブ６３，６４の高さに合わせて形成したものを接着剤等によって貼り付けて形成してもよく、また、上下のガイド板６１，６２と一体に形成してもよい。
【００２４】
また、前記上搬送リブ６３と下搬送リブ６４とが上下方向で対向しないように、互いにずらせて配置されていることによって、下ガイド板６２が変形した際の衝突を防ぎ、破損等を防止することができる。このため、前記原稿パス空間６８を通過する原稿の搬送を妨げることがない。
【００２５】
上記構成による原稿反転部６０にあっては、原稿パス空間６８内に突出する上下の突起部６５，６６を設け、さらに、上下の搬送リブ６３，６４を互い違いに配置したことによって、厚みのある固定原稿を押える下ガイド板６２に撓み変形が生じた場合であっても、原稿を通過させるための原稿パス空間６８が確保される。このため、前記下ガイド板６２は、従来のような撓み変形を生じさせないような硬質あるいは厚みのある部材で形成される必要はなく、上ガイド板６１と同程度の硬さや厚みに樹脂板が使用できる。これによって、原稿反転部６０の総重量を抑えることができ、搬送読取ユニット３の小型軽量化が図られる。
【００２６】
図４は、前記原稿反転部６０の端部の断面構造を示したものである。通常、前記原稿反転部６０の下ガイド板６２の裏面側には、プラテン７上に載置される固定原稿を押えるための原稿押え板７３がスポンジ部材７２を介して設けられる。前記原稿押え板７３は、下ガイド板６２と略同じ形状及びサイズで薄く白色系の樹脂板が用いられる。前記スポンジ部材７２は、前記原稿押え板７３を下ガイド板６２に対してクッション性を持たせて貼り付けるためのものであり、少なくとも下ガイド板６２の四隅に設けられる。従来の下ガイド板の裏面は、平坦面となっており、この平坦面に前記スポンジ部材７２を介して原稿押え板７３が配設されるが、本実施形態の下ガイド板６２の裏面には、少なくとも四隅に下向きに突出する突起片７１が設けられる。この突起片７１を設けることによって、原稿押え板７３がプラテン７上でずれることなく安定した状態で載置することができると共に、プラテン７面を傷つけるおそれがない。また、前記原稿パス空間６８を確保するために設けられるスペーサ片６７と対応した位置に前記突起片７１を設けることで、この突起片上７１に直接上ガイド板６１の重みが掛かるため、原稿押え板７３をより安定させることができる。なお、前記スポンジ部材７２は、前記突起片７１が設けられる部分を中心として四角形状あるいは円形状に多少広めに形成しておくことで、原稿押え板７３との密着性を高めることができる。
【符号の説明】
【００２７】
１  原稿搬送装置
２  本体ユニット
３  搬送読取ユニット
４  画像読取部
５  光学部
６  第１のプラテン
７  第２のプラテン
１０  光源
１１  ミラー
１６  レンズ
１７  光電変換素子
２０  給紙トレイ
２１  支持トレイ
２２  排紙トレイ
２７  繰出ローラ
２８  給紙ローラ
２９  分離パッド
３０  レジストローラ対
３２  第１リードローラ対
３３  第２リードローラ対
３４  切替フラッパー
４１  第１スイッチバック部
４２  第２スイッチバック部
４３  排紙ローラ対
４４  反転ローラ対
４５  第１スイッチバックパス
４６  第２スイッチバックパス
４８  待機ローラ対
４９  反転排紙パス
６０  原稿反転部
６１  上ガイド板
６２  下ガイド板
６３  上搬送リブ
６４  下搬送リブ
６５  上突起部
６５ａ  頂部
６６  下突起部
６６ａ  頂部
６７  スペーサ片
６８  原稿パス空間
６９  排紙面
７０  搬送路
７１  突起片
７２  スポンジ部材
７３  原稿押え板
【図１】
2011176759.tif 000003
【図２】
2011176759.tif 000004
【図３】
2011176759.tif 000005
【図４】
2011176759.tif 000006